(57)【要約】【課題】電源の再投入といった簡単な復旧作業を、遠隔地からの操作や、利用者の簡単な操作で行い、迅速に復旧することが可能なナースコールシステムを提供する。【解決手段】ハンディナースコール主装置３が、公衆網５を通じた外線着信や、携帯端末７１〜７ｍからの呼び出しに応答し、これらを通じて電源制御コマンドが入力されると、ナースコール制御機２１およびナースコール親機２２の電源をＯＦＦ／ＯＮ制御するようにしたものである。【選択図】図１
2006230481.tif 000002
【特許請求の範囲】
【請求項１】
病床の近傍に設置される病床端末と、この病床端末から信号を受信すると医療従事者に対して呼び出しを行う主装置とを備えるナースコールシステムにおいて、
通信回線を通じた呼び出しに応答して、通信リンクを確立する通信手段と、
この通信手段が確立した通信リンクを通じて、制御コマンドを受け付ける受付手段と、
この受付手段が受け付けた制御コマンドに応じて、前記主装置の電源をいったんＯＦＦにし、その後再びＯＮにする電源制御手段とを具備したことを特徴とするナースコールシステム。
【請求項２】
病床の近傍に設置される病床端末と、この病床端末から信号を受信すると医療従事者に対して呼び出しを行う主装置とを備えるナースコールシステムに接続され、前記医療従事者が携帯する通信端末装置の交換接続を行うナースコール主装置において、
通信回線を通じた呼び出しに応答して、通信リンクを確立する通信手段と、
この通信手段が確立した通信リンクを通じて、制御コマンドを受け付ける受付手段と、
この受付手段が受け付けた制御コマンドに応じて、前記主装置の電源をいったんＯＦＦにし、その後再びＯＮにする電源制御手段とを具備したことを特徴とするナースコール主装置。
【発明の詳細な説明】
【技術分野】
【０００１】
この発明は、病院などの施設において、患者や被介護者が看護師などの医療従事者を呼び出すナースコールシステムに関する。
【背景技術】
【０００２】
周知のように、従来のナースコールシステム（例えば、特許文献１参照）では、システムに不具合が生じた場合、システム利用者から保守管理会社に連絡され、サービスマンが現場に派遣されてシステムのメンテナンスを行うようにしていた。ナースコールシステムの復旧は、急を要することが多いため、できるだけ迅速に対応する必要があるが、サービスマンが現場に急行するにはある程度の時間を要してしまう。
【０００３】
また、ナースコールシステムに生じる不具合は、電源の再投入で復旧することも多い。しかしながら、電源スイッチは誤って操作されないように内部に設けられており、サービスマンが電話でシステム利用者に指示するのは困難であった。このため、電源の再投入といった簡単な復旧作業でも、復旧するまでに多くの時間を費やしてしまうという問題があった。
【特許文献１】特開２００３−１２６１８３公報。
【発明の開示】
【発明が解決しようとする課題】
【０００４】
従来のナースコールシステムでは、電源の再投入といった簡単な復旧作業でも、復旧するまでに多くの時間を費やしてしまうという問題があった。  
この発明は上記の問題を解決すべくなされたもので、電源の再投入といった簡単な復旧作業を、遠隔地からの操作や、利用者の簡単な操作で行い、迅速に復旧することが可能なナースコールシステムおよびナースコール主装置を提供することを目的とする。
【課題を解決するための手段】
【０００５】
上記の目的を達成するために、この発明は、病床の近傍に設置される病床端末と、この病床端末から信号を受信すると医療従事者に対して呼び出しを行う主装置とを備えるナースコールシステムにおいて、通信回線を通じた呼び出しに応答して、通信リンクを確立する通信手段と、この通信手段が確立した通信リンクを通じて、制御コマンドを受け付ける受付手段と、この受付手段が受け付けた制御コマンドに応じて、主装置の電源をいったんＯＦＦにし、その後再びＯＮにする電源制御手段とを具備して構成するようにした。
【発明の効果】
【０００６】
以上述べたように、この発明では、通信回線を通じて開設した通信リンクを通じて、所定の制御コマンドを受け付けた場合に、主装置の電源をいったんＯＦＦにし、その後再びＯＮにするようにしている。
【０００７】
したがって、この発明によれば、サービスマンが公衆網を通じたり、あるいはシステム利用者が内線を通じて、コマンド入力という簡単な操作で、主装置を再起動することができるので、遠隔地にいるサービスマンや、あるいはシステム利用者によって、電源再投入の復旧作業を短時間で行うことが可能なナースコールシステムを提供できる。
【発明を実施するための最良の形態】
【０００８】
以下、図面を参照して、この発明の一実施形態について説明する。図１は、この発明の一実施形態に係わるナースコールシステムの概略構成図である。  
このナースコールシステムは、各病室の入口近傍の廊下側壁面や、トイレ、浴室など設置される病室ユニット１１〜１ｎと、ナースセンタに設置されるセンタ装置として機能するナースコール制御機２１とを備え、病室ユニット１１〜１ｎとナースコール制御機２１との間はそれぞれ通信線路を介して接続される。
【０００９】
またこのナースコールシステムは、例えば病院内の通信センタに設置されるハンディナースコール主装置３および構内交換機（ＰＢＸ：Private Branch Exchange）４を備え、ハンディナースコール主装置３には無線ユニット６が接続され、またＰＢＸ４は公衆網５に接続される。
【００１０】
さらに、上記ナースコール制御機２１は、ディスプレイや通話装置、入力装置などのユーザインターフェースを備えたナースコール親機２２に接続される。そしてナースコール制御機２１は、例えばＬＡＮ（Local Area Network）７を介して看護支援サーバ９に接続される。
【００１１】
看護支援サーバ９は、看護支援のための種々情報を記憶し管理する。なお、１０は上記看護支援サーバ９に記憶されたデータをプリントアウトするために使用されるプリンタ、８は上記看護支援サーバ９およびプリンタ１０をＬＡＮ７に接続するためのハブである。
【００１２】
ハンディナースコール主装置３は、例えば構内ＰＨＳ（Personal Handyphone System）対応の交換装置からなるもので、交換制御部やタイムスイッチの他に、複数の内線Ｉ／Ｆと、局線Ｉ／Ｆと、保守Ｉ／Ｆとを備える。内線Ｉ／Ｆにはそれぞれ無線ユニット６の無線基地局６１，６２が接続される。
【００１３】
無線基地局６１，６２はそれぞれ無線エリアを形成し、この無線エリア内に存在する携帯端末７１〜７ｍとの間で無線回線を介して接続される。局線Ｉ／ＦにはＰＢＸ４が接続される。携帯端末７１〜７ｍは、医者や看護師などの医療従事者や介護者が携帯する。
【００１４】
病室ユニット１１〜１ｎは、病室の天井等に設置されたマイクロホン１０１およびスピーカ１０２と、トイレ・浴室用押しボタン１０３と、代表廊下灯１０４と、復旧ボタン１０５とを備え、これらはＩ／Ｏユニット１０６を介して個別情報廊下灯１０７に接続される。
【００１５】
また病室ユニット１１〜１ｎは、ハンド型子機１０９および握り押しボタン１１０を備え、これらは病床の壁に設けられたナースコールコンセント１０８を介して上記個別情報廊下灯１０７に接続される。
【００１６】
このうち、握り押しボタン１１０およびトイレ・浴室用押しボタン１０３は患者（あるいは被介護者）が看護師を呼び出す際に使用するもので、ナースコールコンセント１０８またはＩ／Ｏユニット１０６の接続端子（図示しない）に接続され、ナースコールコンセント１０８またはＩ／Ｏユニット１０６を介して個別情報廊下灯１０７に接続される。
【００１７】
そして、握り押しボタン１１０およびトイレ・浴室用押しボタン１０３は、患者によって操作されると操作信号がそれぞれナースコールコンセント１０８またはＩ／Ｏユニット１０６を介して個別情報廊下灯１０７に出力される。
【００１８】
個別情報廊下灯１０７は、上記操作信号を受信すると、自身の表示部に呼出の発生を表示する。またそれと共に、呼出信号を生成してナースコール制御機２１へ送信する。呼出信号には、トイレ・浴室用押しボタン１０３、ハンド型子機１０９および握り押しボタン１１０にそれぞれ固有に割り振られたアドレス情報が挿入される。
【００１９】
マイクロホン１０１とスピーカ１０２、ハンド型子機１０９およびナースコールコンセント１０８は、患者が呼出に対し応答した看護師と通話を行うために使用するもので、その通話信号は通話路を介してナースコール親機２２へ送信される。通話路は、ナースコール親機２２において看護師が患者の呼出に対し応答操作することにより確立される。なお、復旧ボタン１０５は上記呼出をリセットする場合に使用される。
【００２０】
図２に、ハンディナースコール主装置３の構成を示す。なお、図２では、説明を簡明にするために、この発明に係わる部分について示すことにする。ハンディナースコール主装置３は、交換部３１と、複数の局線Ｉ／Ｆ３２と、複数の内線Ｉ／Ｆ３３と、電源制御部３４と、主制御部３５とを備える。
【００２１】
交換部３１は、上記交換制御部やタイムスイッチからなり、局線Ｉ／Ｆ３２と内線Ｉ／Ｆ３３との交換接続や、内線Ｉ／Ｆ３３同士の交換接続を行ったり、局線Ｉ／Ｆ３２を通じて当該ハンディナースコール主装置３宛てに着信があった場合は、これに応答して主制御部３５に接続する。
【００２２】
電源制御部３４は、ＡＣ１００Ｖ電力が供給されており、これをナースコール制御機２１やナースコール親機２２に供給し、主制御部３５からの指示に応じて、上記供給のＯＮ／ＯＦＦを行うものである。
【００２３】
主制御部３５は、当該ハンディナースコール主装置３の各部を統括して制御するものであって、交換部３１に対する制御により、収容される回線の交換接続を行うほかに、新たな制御機能として、公衆網５からの着信や携帯端末７１〜７ｍからの呼び出しに応答し、これらより入力されるコマンドにしたがって種々のメンテナンス制御を行うものである。
【００２４】
次に、上記構成のナースコールシステムの動作について説明する。ここでは特に、この発明に係わるハンディナースコール主装置３の制御動作について説明する。図３は、上記動作を説明するためのフローチャートであって、ハンディナースコール主装置３の主制御部３５によってなされる制御動作を示すものである。この動作は、電源が投入されると電源が切られるまで繰り返し実行される。
【００２５】
まず、ステップ３ａにおいて主制御部３５は、交換部３１からの通知を監視し、局線Ｉ／Ｆ３２もしくは内線Ｉ／Ｆ３３を通じて、当該ハンディナースコール主装置３宛ての着信が生じたか否かを判定する。ここで、上記着信が生じた場合には、ステップ３ｂに移行し、生じていない場合には、ステップ３ａにて引き続き着信を待機する。
【００２６】
ステップ３ｂにおいて主制御部３５は、ステップ３ａで検出した着信に応答するように交換部３１に指示を与える。これにより交換部３１は、着信に応答するように、局線Ｉ／Ｆ３２もしくは内線Ｉ／Ｆ３３を制御して、通信リンクを確立する。そして、主制御部３５は、上記通信リンクを通じて、コマンド入力を受け付け、ステップ３ｃに移行する。コマンド入力は、ＤＴＭＦトーン信号などで受け付けてもよい。
【００２７】
ステップ３ｃにおいて主制御部３５は、ステップ３ｂで受け付けたコマンドを解析し、電源制御コマンドか否かを判定する。ここで、ステップ３ｂで受け付けたコマンドが電源制御コマンドの場合には、ステップ３ｅに移行し、それ以外のコマンドの場合には、ステップ３ｄに移行する。
【００２８】
ステップ３ｄにおいて主制御部３５は、ステップ３ｂにて受け付けたコマンドに応じた制御を実施し、ステップ３ａに移行する。  
一方、ステップ３ｅにおいて主制御部３５は、電源制御部３４を制御し、ナースコール制御機２１およびナースコール親機２２への電力供給を停止（ＯＦＦ）し、所定時間（数秒間）経過後、再び電力の供給を開始（ＯＮ）する。すなわち、ナースコール制御機２１およびナースコール親機２２の電源をＯＦＦ／ＯＮ制御し、ステップ３ａに移行する。
【００２９】
以上のように、上記構成のナースコールシステムでは、ハンディナースコール主装置３が、公衆網５を通じた外線着信や、携帯端末７１〜７ｍからの呼び出しに応答し、これらを通じて電源制御コマンドが入力されると、ナースコール制御機２１およびナースコール親機２２の電源をＯＦＦ／ＯＮ制御するようにしている。
【００３０】
したがって、上記構成のナースコールシステムによれば、サービスマンが公衆網５を通じたり、あるいはシステム利用者が携帯端末７１〜７ｍを通じて、コマンド入力という簡単な操作で、ナースコール制御機２１およびナースコール親機２２を再起動することができるので、遠隔地にいるサービスマンや、あるいはシステム利用者によって、電源再投入の復旧作業を短時間で行うことができる。
【００３１】
なお、この発明は上記実施形態そのままに限定されるものではなく、実施段階ではその要旨を逸脱しない範囲で構成要素を変形して具体化できる。また上記実施形態に開示されている複数の構成要素を適宜組み合わせることによって種々の発明を形成できる。また例えば、実施形態に示される全構成要素からいくつかの構成要素を削除した構成も考えられる。さらに、異なる実施形態に記載した構成要素を適宜組み合わせてもよい。
【００３２】
なお、上記の実施形態では、電源制御コマンドが入力された場合に、ナースコール制御機２１およびナースコール親機２２の電源をＯＦＦ／ＯＮ制御するようにしたが、これに代わって例えば、ハンディナースコール主装置３宛ての着信があった場合や、あるいはハンディナースコール主装置３宛ての着信が所定時間継続した場合に、上記ＯＦＦ／ＯＮ制御を行うようにしてもよい。これによれば、制御コマンドがわからない場合でも、ハンディナースコール主装置３宛てに発信が行えれば上記制御を行うことができる。  
その他、この発明の要旨を逸脱しない範囲で種々の変形を施しても同様に実施可能であることはいうまでもない。
【図面の簡単な説明】
【００３３】
【図１】この発明に係わるナースコールシステムの一実施形態の構成を示す回路ブロック図。
【図２】図１に示したナースコールシステムのハンディナースコール主装置の一部の構成を示す回路ブロック図。
【図３】図２に示したハンディナースコール主装置の動作を説明するためのフローチャート。
【符号の説明】
【００３４】
１１〜１ｎ…病室ユニット、２１…ナースコール制御機、２２…ナースコール親機、３…ハンディナースコール主装置、４…構内交換機、５…公衆網、６…無線ユニット、７…ＬＡＮ、８…ハブ、９…看護支援サーバ、１０…プリンタ、３１…交換部、３２…局線Ｉ／Ｆ、３３…内線Ｉ／Ｆ、３４…電源制御部、３５…主制御部、６１，６２…無線基地局、７１〜７ｍ…携帯端末、１０１…マイクロホン、１０２…スピーカ、１０３…トイレ・浴室用押しボタン、１０４…代表廊下灯、１０５…復旧ボタン、１０６…Ｉ／Ｏユニット、１０７…個別情報廊下灯、１０８…ナースコールコンセント、１０９…ハンド型子機、１１０…握り押しボタン。
【図１】
2006230481.tif 000003
【図２】
2006230481.tif 000004
【図３】
2006230481.tif 000005